(57)【要約】【課題】  ＮＲＺ／ＲＺ変換回路を不要にする。【解決手段】  レーザダイオード１２がＣＷレーザ光を光強度変調器１４に印加する。光強度変調器１４は、例えば、ＬｉＮｂＯ３光変調器からなり、その半波長電圧がＶｘである。電圧変換器１６は、電気ＮＲＺ信号１８の振幅を２Ｖｘに変換し、駆動電圧として光強度変調器１４に印加する。光強度変調器１４は、電圧変換器１６からの駆動電圧に従い、レーザダイオード１２からのレーザ光の光強度を変調し、ＲＺ信号光２０を光伝送路２２に出力する。【選択図】  図１
2005181563.tif 000002
【特許請求の範囲】
【請求項１】
半波長電圧で透過率が最大になり、当該半波長電圧の２倍で透過率が最低になる透過特性を具備する光強度変調器（１４）にＣＷレーザ光を印加し、
電気ＮＲＺ信号を当該光強度変調器の当該半波長電圧の２倍の電圧に相当する振幅で当該光強度変調器に印加する
ことを特徴とする光パルス発生方法。
【請求項２】
更に、原ＮＲＺ信号を、ビット遅延排他的オア回路（７４，７８）により当該電気ＮＲＺ信号を生成するステップを具備することを特徴とする請求項１に記載の光パルス発生方法。
【請求項３】
当該電気ＮＲＺ信号の当該光強度変調器への印加ステップが、当該電気ＮＲＺ信号を当該光強度変調器の当該半波長電圧の２倍の電圧に相当する振幅の駆動電圧に変換するステップと、
当該駆動電圧を当該光強度変調器に印加するステップ
とからなることを特徴とする請求項１又は２に記載の光パルス発生方法。
【請求項４】
ＣＷレーザ光を発生するレーザ光源（１２）と、
半波長電圧で透過率が最大になり、当該半波長電圧の２倍で透過率が最低になる透過特性を具備する光強度変調器（１４）であって、当該ＣＷレーザ光の光強度を駆動電圧に従い変調する光強度変調器（１４）と、
電気ＮＲＺ信号を、当該光強度変調器（１４）の当該半波長電圧の２倍の電圧に変換し、変換後の電圧信号を当該光強度変調器に当該駆動電圧として印加する電圧変換器（１６）
とを具備することを特徴とする光パルス発生装置。
【請求項５】
更に、原ＮＲＺ信号から当該電気ＮＲＺ信号を生成するビット遅延排他的オア回路（７４，７８）を具備する請求項４に記載の光パルス発生装置。
【請求項６】
半波長電圧で透過率が最大になり、当該半波長電圧の２倍で透過率が最低になる透過特性を具備する光強度変調器（１４）にＣＷレーザ光を印加し、
電気ＮＲＺ信号を当該光強度変調器の当該半波長電圧の２倍の電圧に変換することにより、当該光強度変調器に対する駆動電圧を生成し、
当該駆動電圧を当該光強度変調器に印加し、
当該光強度変調器の出力信号光を電気信号に変換し、
当該電気信号からクロックを再生し、
再生されたクロックに従い当該電気信号をＮＲＺ波形の２進信号に変換し、
当該ＮＲＺ波形の２進信号を帰還型ビット遅延排他的オア回路（４０，４４）により、当該電気ＮＲＺ信号に相当する信号を復元する
ことを特徴とする光伝送方法。
【請求項７】
半波長電圧で透過率が最大になり、当該半波長電圧の２倍で透過率が最低になる透過特性を具備する光強度変調器（１４）にＣＷレーザ光を印加し、
原ＮＲＺ信号をビット遅延排他的オア回路（７４，７８）により第２のＮＲＺ信号を生成し、
当該第２のＮＲＺ信号を当該光強度変調器の当該半波長電圧の２倍の電圧に変換することにより、当該光強度変調器に対する駆動電圧を生成し、
当該駆動電圧を当該光強度変調器に印加し、
当該光強度変調器の出力信号光を電気信号に変換し、
当該電気信号からクロックを再生し、
再生されたクロックに従い当該電気信号をＮＲＺ波形の２進信号に変換する
ことを特徴とする光伝送方法。
【請求項８】
光送信装置、光伝送路及び光受信装置からなる光伝送システムであって、
当該光送信装置（１０）が、
ＣＷレーザ光を発生するレーザ光源（１２）と、
半波長電圧で透過率が最大になり、当該半波長電圧の２倍で透過率が最低になる透過特性を具備する光強度変調器（１４）であって、当該ＣＷレーザ光の光強度を駆動電圧に従い変調する光強度変調器（１４）と、
電気ＮＲＺ信号を、当該光強度変調器（１４）の当該半波長電圧の２倍の電圧に変換し、変換後の電圧信号を当該光強度変調器に当該駆動電圧として印加する電圧変換器（１６）
とを具備し、
当該光受信装置（３０）が、
当該光伝送路からの信号光を電気信号に変換する受光素子（３２）と、
当該受光素子（３２）の出力電気信号からクロックを再生するクロック再生装置（３６）と、
当該クロック再生装置（３６）で再生されたクロックに従い当該受光素子（３２）の出力電気信号をＮＲＺ波形の２進信号に変換するＲＺ／ＮＲＺ変換器（３４）と、
ＲＺ／ＮＲＺ変換器（３４）から出力される２進信号（３８）が入力する帰還型ビット遅延排他的オア回路（４０，４４）
とを具備することを特徴とする光伝送システム。
【請求項９】
光送信装置、光伝送路及び光受信装置からなる光伝送システムであって、
当該光送信装置（１０）が、
ＣＷレーザ光を発生するレーザ光源（１２）と、
半波長電圧で透過率が最大になり、当該半波長電圧の２倍で透過率が最低になる透過特性を具備する光強度変調器（１４）であって、当該ＣＷレーザ光の光強度を駆動電圧に従い変調する光強度変調器（１４）と、
原ＮＲＺ信号から第２のＮＲＺ信号を生成するビット遅延排他的オア回路（７４，７８）と、
当該第２のＮＲＺ信号を、当該光強度変調器（１４）の当該半波長電圧の２倍の電圧に変換し、変換後の電圧信号を当該光強度変調器に当該駆動電圧として印加する電圧変換器（１６）
とを具備し、
当該光受信装置（３０）が、
当該光伝送路からの信号光を電気信号に変換する受光素子（３２）と、
当該受光素子（３２）の出力電気信号からクロックを再生するクロック再生装置（３６）と、
当該クロック再生装置８３６）で再生されたクロックに従い当該受光素子（３２）の出力電気信号をＮＲＺ波形の２進信号に変換するＲＺ／ＮＲＺ変換器（３４）
とを具備することを特徴とする光伝送システム。
【発明の詳細な説明】
【技術分野】
【０００１】
本発明は、光パルス発生方法及び装置並びに光伝送方法及びシステムに関する。
【背景技術】
【０００２】
光伝送システムの伝送レートを向上するには、パルス幅の狭い光パルスを生成する必要がある。図p1は、電気ＮＲＺ（None Return−to−Zero）信号からＲＺ（Return−to−Zero）光パルスを生成する従来の装置の概略構成図を示す。
【０００３】
レーザダイオード１１０は、ＣＷ（continuous wave）レーザ光を出力し、光強度変調器１１２に印加する。電気ＮＲＺ信号とクロックがＮＲＺ／ＲＺ変換器１１４に入力する。ＮＲＺ／ＲＺ変換器１１４は、入力する電気ＮＲＺ信号をＲＺ形式に変換する。ＲＦアンプ１１６は、ＮＲＺ／ＲＺ変換器１１４から出力される電気ＲＺ信号を増幅し、その出力は、駆動電圧信号として光強度変換器１１２に印加される。光強度変調器１１２は、例えば、ＬｉＮｂＯ３光変調器又は電気吸収（ＥＡ）変調器からなる。
【０００４】
図ｐ２は、ＬｉＮｂＯ３光変調器の透過率特性及び入出力特性を示す。特性１２０は、ＬｉＮｂＯ３光変調器の駆動電圧対透過率特性を示す。透過率は駆動電圧に対して周期的に変化する。透過率が最大になる駆動電圧は半波長電圧と呼ばれる。ここでは、半波長電圧をＶｘと表記する。ＬｉＮｂＯ３光変調器の駆動電圧を符号１２２で示すように、半波長電圧の振幅で変化させた場合、出力光は、符号１２４に示すように、光パルスのボトムとピークで若干だれるものの、基本的に、駆動電圧と同様に変化する。ＬｉＮｂＯ３光変調器を半波長電圧Ｖｘで駆動する場合の応答速度の範囲内で、駆動電圧のレートと同じレートの光パルス信号を生成できる。生成される光パルス信号のパルス幅は、ＬｉＮｂＯ３光変調器の駆動電圧を０（Ｖ）から半波長電圧に上げ、その後、再び０（Ｖ）に下げるまでの時間Ｔｍｉｎより短くすることはできない。もちろん、駆動電圧の立ち上がり及び立ち下がりの限界によっても、光パルスのパルス幅は制限される。
【０００５】
光強度変調器を２段、シリアルに配置し、前段の光強度変調器をクロックで駆動してＣＷ光を光クロックパルスに変換し、後段の光強度変調器で電気ＲＺパルス信号により駆動してＲＺ光パルス信号を生成する構成も知られている。ここでも、生成できるＲＺ光パルスのパルス幅は、前段のＬｉＮｂＯ３光変調器の駆動電圧を０（Ｖ）から半波長電圧に上げ、その後、再び０（Ｖ）に下げるまでの時間Ｔｍｉｎより短くすることはできない。
【発明の開示】
【発明が解決しようとする課題】
【０００６】
従来の構成では、光パルスのパルス幅は、半波長電圧で駆動する場合の光強度変調器の応答速度と、駆動電圧パルスのパルス幅、特に後者により制限され、光強度変調器の応答速度を完全に活かしきれていない。
【０００７】
本発明は、従来例より短いパルス幅の光パルスを生成できる光パルス発生方法及び装置並びに光伝送方法及びシステムを提示することを目的とする。
【課題を解決するための手段】
【０００８】
本発明に係る光パルス発生方法では、半波長電圧で透過率が最大になり、当該半波長電圧の２倍で透過率が最低になる透過特性を具備する光強度変調器にＣＷレーザ光を印加する。そして、電気ＮＲＺ信号を当該光強度変調器の当該半波長電圧の２倍の電圧に相当する振幅で当該光強度変調器に印加する。これにより、ＮＲＺからＲＺへの変換と、電気から光の変換を一括して行うことができる。
【０００９】
好ましくは、更に、原ＮＲＺ信号を、ビット遅延排他的オア回路により当該電気ＮＲＺ信号を生成するステップを具備する。これにより、信号伝送時には、光受信装置側の構成が従前通りで良くなる。
【００１０】
好ましくは、当該電気ＮＲＺ信号の当該光強度変調器への印加ステップが、当該電気ＮＲＺ信号を当該光強度変調器の当該半波長電圧の２倍の電圧に相当する振幅の駆動電圧に変換するステップと、当該駆動電圧を当該光強度変調器に印加するステップとからなる。これにより、光強度変調器に印加する駆動電圧の電圧調整が容易になる。
【００１１】
本発明に係る光パルス発生装置は、ＣＷレーザ光を発生するレーザ光源と、半波長電圧で透過率が最大になり、当該半波長電圧の２倍で透過率が最低になる透過特性を具備する光強度変調器であって、当該ＣＷレーザ光の光強度を駆動電圧に従い変調する光強度変調器と、電気ＮＲＺ信号を、当該光強度変調器の当該半波長電圧の２倍の電圧に変換し、変換後の電圧信号を当該光強度変調器に当該駆動電圧として印加する電圧変換器とを具備することを特徴とする。
【００１２】
これにより、ＮＲＺからＲＺへの変換と、電気から光の変換を一括して行うことができる。
【００１３】
好ましくは、本発明に係る光パルス発生装置は、原ＮＲＺ信号から当該電気ＮＲＺ信号を生成するビット遅延排他的オア回路を具備する。これにより、信号伝送時には、光受信装置側の構成が従前通りで良くなる。
【００１４】
本発明に係る光伝送方法では、半波長電圧で透過率が最大になり、当該半波長電圧の２倍で透過率が最低になる透過特性を具備する光強度変調器にＣＷレーザ光を印加する。電気ＮＲＺ信号を当該光強度変調器の当該半波長電圧の２倍の電圧に変換することにより、当該光強度変調器に対する駆動電圧を生成する。当該駆動電圧を当該光強度変調器に印加する。当該光強度変調器の出力信号光を電気信号に変換する。当該電気信号からクロックを再生する。再生されたクロックに従い当該電気信号をＮＲＺ波形の２進信号に変換する。当該ＮＲＺ波形の２進信号を帰還型ビット遅延排他的オア回路（４０，４４）により、当該電気ＮＲＺ信号に相当する信号を復元する。
【００１５】
これにより、光送信装置の構成を簡略化して、信号をＲＺ波形で光伝送できる。
【００１６】
本発明に係る光伝送方法では、半波長電圧で透過率が最大になり、当該半波長電圧の２倍で透過率が最低になる透過特性を具備する光強度変調器にＣＷレーザ光を印加する。原ＮＲＺ信号をビット遅延排他的オア回路（７４，７８）により第２のＮＲＺ信号を生成する。当該第２のＮＲＺ信号を当該光強度変調器の当該半波長電圧の２倍の電圧に変換することにより、当該光強度変調器に対する駆動電圧を生成する。当該駆動電圧を当該光強度変調器に印加する。当該光強度変調器の出力信号光を電気信号に変換する。当該電気信号からクロックを再生する。そして、再生されたクロックに従い当該電気信号をＮＲＺ波形の２進信号に変換する。
【００１７】
この構成では、光送信装置の構成を簡略化して、信号をＲＺ波形で光伝送できると共に、光受信装置の構成が従来の構成のままで良くなる。
【００１８】
本発明に係る光伝送システムは、光送信装置、光伝送路及び光受信装置からなる光伝送システムである。当該光送信装置が、ＣＷレーザ光を発生するレーザ光源と、半波長電圧で透過率が最大になり、当該半波長電圧の２倍で透過率が最低になる透過特性を具備する光強度変調器であって、当該ＣＷレーザ光の光強度を駆動電圧に従い変調する光強度変調器と、電気ＮＲＺ信号を、当該光強度変調器の当該半波長電圧の２倍の電圧に変換し、変換後の電圧信号を当該光強度変調器に当該駆動電圧として印加する電圧変換器とを具備する。光受信装置（３０）が、当該光伝送路からの信号光を電気信号に変換する受光素子と、当該受光素子（３２）の出力電気信号からクロックを再生するクロック再生装置と、当該クロック再生装置で再生されたクロックに従い当該受光素子の出力電気信号をＮＲＺ波形の２進信号に変換するＲＺ／ＮＲＺ変換器と、ＲＺ／ＮＲＺ変換器から出力される２進信号が入力する帰還型ビット遅延排他的オア回路とを具備することを特徴とする。
【００１９】
これにより、光送信装置の構成を簡略化して、信号をＲＺ波形で光伝送できる。
【００２０】
本発明に係る光伝送システムは、光送信装置、光伝送路及び光受信装置からなる光伝送システムである。当該光送信装置が、ＣＷレーザ光を発生するレーザ光源と、半波長電圧で透過率が最大になり、当該半波長電圧の２倍で透過率が最低になる透過特性を具備する光強度変調器であって、当該ＣＷレーザ光の光強度を駆動電圧に従い変調する光強度変調器と、原ＮＲＺ信号から第２のＮＲＺ信号を生成するビット遅延排他的オア回路と、当該第２のＮＲＺ信号を、当該光強度変調器の当該半波長電圧の２倍の電圧に変換し、変換後の電圧信号を当該光強度変調器に当該駆動電圧として印加する電圧変換器とを具備する。当該光受信装置が、当該光伝送路からの信号光を電気信号に変換する受光素子と、当該受光素子の出力電気信号からクロックを再生するクロック再生装置と、当該クロック再生装置で再生されたクロックに従い当該受光素子の出力電気信号をＮＲＺ波形の２進信号に変換するＲＺ／ＮＲＺ変換器とを具備することを特徴とする。
【００２１】
この構成では、光送信装置の構成を簡略化して、信号をＲＺ波形で光伝送できると共に、光受信装置の構成が従来の構成のままで良くなる。
【発明の効果】
【００２２】
本発明によれば、光強度変調器においてＮＲＺからＲＺへの変換と、光から電気への変換を一括して行うことができる。これにより、短パルス幅の光クロックパルスを容易に生成でき、信号伝送の場合には、光送信装置の構成を簡略化できる。
【発明を実施するための最良の形態】
【００２３】
以下、図面を参照して、本発明の実施例を詳細に説明する。
【００２４】
本出願の発明者は、駆動電圧に対して透過率（又は利得）が周期的に変換する光変調素子に２Ｖｘの駆動電圧を印加することで、駆動電圧の立ち上がりと立ち下がりの両方で光パルスを生成できることを発見した。これは、駆動電圧信号の微分処理又は隣接ビット間の排他的オアの処理と、電気から光への変換を一括して行っていることに相当する。
【００２５】
図１は、本発明の一実施例の概略構成ブロック図を示す。光送信装置１０では、レーザダイオード１２がＣＷレーザ光を光強度変調器１４に印加する。光強度変調器１４は、例えば、ＬｉＮｂＯ３光変調器からなり、その半波長電圧がＶｘであるとする。電圧変換器１６は、電気ＮＲＺ信号１８の振幅を２Ｖｘに変換し、駆動電圧として光強度変調器１４に印加する。光強度変調器１４は、電圧変換器１６からの駆動電圧に従い、レーザダイオード１２からのレーザ光の光強度を変調し、ＲＺ信号光２０を光伝送路２２に出力する。
【００２６】
光伝送路２２を伝搬した信号光は、光受信装置３０に入力する。光受信装置３０では、受光素子３２が、光伝送路２２からの信号光を電気信号に変換し、その電気信号を、ＲＺ波形をからＮＲＺ波形に変換するＤフリップフロップ３４のデータ入力端子と、クロック再生装置３６に印加する。クロック再生装置３６は、受光素子３２の出力からクロックを再生し、再生クロックをＤフリップフロップ３４のクロック入力端子に印加する。Ｄフリップフロップ３４は、クロック再生装置３６からの再生クロックに従い、データ入力端子の入力値をラッチする。Ｄフリップフロップ３４により、ＲＺ波形がＮＲＺ波形に変換される。
【００２７】
Ｄフリップフロップ３４の２値出力３８は、排他的オア回路４０の第１の入力端子に印加される。排他的オア回路４０の出力信号４２は、受信データとして外部に出力されると共に、１ビット遅延回路４４を介して排他的オア回路４０の第２の入力端子に印加される。排他的オア回路４０は、第１及び第２の入力端子の入力値の排他的オアを演算し、その結果を出力する。本明細書では、排他的オア回路４０及び１ビット遅延回路４４からなる構成を、帰還型ビット遅延排他的オア回路と呼ぶことにする。
【００２８】
図２は、半波長電圧Ｖｘの２倍の振幅の駆動電圧で駆動する場合の、ＬｉＮｂＯ３光変調器の入出力特性を示す。特性５０は、光強度変調器１４として使用されるＬｉＮｂＯ３光変調器の駆動電圧対透過率特性を示す。特性５０は、図８に示す特性１２０と全く同じであり、透過率が駆動電圧に対して周期的に変化する。波形５２は、電圧変換器１６が光強度変調器１４に印加する駆動電圧を示し、波形５４（５４ａ，５４ｂ）は、駆動電圧５２に対するＬｉＮｂＯ３光変調器の出力光（出力信号光２０）の波形を示す。
【００２９】
図２からわかるように，半波長電圧Ｖｘでは、ＬｉＮｂＯ３光変調器の透過率が最大になり、半波長電圧Ｖｘの２倍の駆動電圧では、ＬｉＮｂＯ３光変調器の透過率が最低になる。本実施例でいう「半波長電圧Ｖｘの２倍の駆動電圧」は、ＬｉＮｂＯ３光変調器の透過率が最低になる駆動電圧をいう。
【００３０】
駆動電圧５２の振幅が２Ｖｘに調整されているので、光強度変調器１４は、駆動電圧５２の立ち上がりと立ち下がりの両方に対して光パルス５４ａ，５４ｂを出力する。光パルス５４ａのパルス幅は、駆動電圧５２の立ち上がり時間のほぼ半分となり、光パルス５４ｂのパルス幅は、駆動電圧５２の立ち下がり時間のほぼ半分程度となる。例えば、ビットレート１０Ｇｂｐｓの場合、１タイムスロットが１００ｐｓで、立ち上がり時間と立ち下がり時間はそれぞれ、１タイムスロットの３０％程度、即ち３０ｐｓ程度である。従って、本実施例により、タイムスロットが３０ｐｓ程度になるＲＺ光パルスを生成できることになる。
【００３１】
現在、入手可能なＥＡ変調器では、半波長電圧の２倍の電圧を印加すると、素子の構成上、破壊に至ると推測されるので、現在のところ、本実施例の光強度変調器１４としてＥＡ変調器を利用できない。しかし、半波長電圧の２倍の駆動電圧に耐えうるＥＡ変調器を入手できれば、そのＥＡ変調器を光強度変調器１４として利用できる。
【００３２】
図３は、図１に示す実施例の各信号１６，２０，３８，４２の波形を示す。各信号１６，２０，３８，４２に対応する波形には、同じ符号を付してある。図３では、各部で発生する遅延は、無視してある。
【００３３】
図３では、電気ＮＲＺ信号１６が、”０１０１１１１１００１０１”からなるＮＲＺ信号であるとしている。図２から容易に理解できるように、光強度変調器１４の出力信号光２０は、電気ＮＲＺ信号１６のパルスの立ち上がりと立ち下がりに同期する光パルスからなり、論理的には、”１１１００００１０１１１１”のＲＺ信号からなる。図３から分かるように、光強度変調器１４の出力信号光２０は、論理的には、電気ＮＲＺ信号１６の隣接するビット間で排他的オア演算を行った結果を示す。
【００３４】
図４は、光強度変調器１４の等価回路を示す。入力信号６０は、電気ＮＲＺ信号１８又は電圧変換器１６の出力に対応する。１ビット遅延器６２は、入力信号６０をその１ビットだけ遅延する。排他的オア回路６４は、入力信号６０と１ビット遅延器６２の出力信号との間で排他的オア演算を行う。排他的オア回路６４の出力信号は、光強度変調器１４の出力信号光２０と同じ２進値を搬送するＮＲＺ信号になる。ＮＲＺ／ＲＺ変換器６６は、排他的オア回路６４の出力信号をＮＲＺ形式からＲＺ形式に変換する。電気／光変換器６８は、ＮＲＺ／ＲＺ変換器６６の電気出力信号を光信号に変換する。本実施例では、光強度変調器１４が単独で、１ビット遅延回路６２，排他的オア回路６４，ＮＲＺ／ＲＺ変換器６６及び電気／光変換器６８の全ての機能を果たすことになる。
【００３５】
１ビット遅延器６２及び排他的オア回路６４のように、入力信号とその１ビット遅延信号の間で排他的オア演算を行う回路構成を、本明細書では、ビット遅延排他的オア回路と呼ぶ。ビット遅延排他的オア回路と上述の帰還型ビット遅延排他的オア回路は、いわば、変調と復調、又は、波形変換とその逆変換の関係にある。これが、図１に示す実施例で、光受信装置２０に排他的オア回路４０と１ビット遅延器４４からなる帰還型ビット遅延排他的オア回路を設けた理由である。なお、帰還型ビット遅延排他的オア回路で変換された２進信号は、ビット遅延排他的オア回路で元に戻すことができる。
【００３６】
受光素子３２が、光強度変調器１４の出力信号光２０を電気信号に変換し、Ｄフリップフロップ３４が受光素子３２の出力信号をＲ形式からＮＲＺ形式に変換するので、Ｄフリップフロップ３４の出力信号３８は、図３に示すように、”１１１００００１０１１１１”のＮＲＺ信号となる。排他的オア回路４０と１ビット遅延回路４４からなる帰還型ビット遅延排他的オア回路は、Ｄフリップフロップ３４の出力信号３８を電気ＮＲＺ信号１８と同じ２進値”０１０１１１１１００１０１”に変換する。
【００３７】
排他的オア回路４０及び１ビット遅延器４４からなる帰還型ビット遅延排他的オア回路は、帰還を利用するので、何れかのビットでエラーがあると、そのエラーが後続のビットに伝搬し、エラーが拡大する。通常、光送信装置１０の信号１８は、予め、誤り訂正符号化されており、光受信装置の誤り訂正装置が、光伝送路２２の伝送エラーをその誤り訂正符号で訂正する。しかし、本実施例では、誤り訂正装置を排他的オア回路４０の後段に配置することになり、帰還型ビット遅延排他的オア回路でエラーが拡大する。従って、図１に示す実施例は、光伝送路２２がエラーを生じない又はほとんど生じない場合か、エラーを代替措置でカバーしうる場合に適している。
【００３８】
帰還型ビット遅延排他的オア回路を光送信装置に配置し、光強度変調器にけるビット遅延排他的オア演算を予め相殺しておくことで、光受信装置３０の排他的オア回路４０及び１ビット遅延器４４を除去できる。即ち、光受信装置３０として既存の構成のものをそのまま利用でき、光送信装置の構成のみを変更することで、本発明を利用できるようになる。
【００３９】
図５は、そのように変更した実施例の概略構成ブロック図を示す。図１と同じ作用の構成要素には同じ符号を付してある。
【００４０】
光送信装置７０では、光送信装置１０の電圧変換器１６の前段に、排他的オア回路７４と１ビット遅延器７８からなる帰還型排他的オア回路を配置してある。即ち、送信しようとするＮＲＺ電気信号７２が、排他的オア回路７４の第１の入力端子に印加され、排他的オア回路７４の出力信号７６は、信号１８として電圧変換器１６に印加されると共に、１ビット遅延回路７８を介して排他的オア回路７４の第２の入力端子に印加される。排他的オア回路７４は、第１及び第２の入力端子の入力値の排他的オアを演算し、その結果を出力信号７６として出力する。
【００４１】
電圧変換器１６は、図５に明記したように、排他的オア回路７４の出力信号を増幅するＲＦアンプ８０、コンデンサ８２及びインダクタンス８４からなるバイアスティー、直流バイアス電圧を発生する直流電源８６からなる。直流電源８６の出力電圧を調整することで、光強度変調器１４に印加される駆動電圧が、光強度変調器１４の透過特性５０に対して、波形５２で示す電圧関係になるようにする。
【００４２】
光受信装置９０は、受光素子３２、Ｄフリップフロップ３４及びクロック再生装置３６からなる。排他的オア回路４０と１ビット遅延回路４４は不要になる。
【００４３】
誤り訂正機能を付加する場合には、排他的オア回路７４の前段に誤り訂正符号化装置を配置し、Ｄフリップフロップの後段に、誤り訂正符号化装置に対応する誤り訂正装置を配置すれば良い。
【００４４】
図６は、図５に示す実施例の波形例を示す。原信号７２として、２進値”０１１１００００１０１１１”を排他的オア回路７４に入力すると、排他的オア回路７４の出力信号７６は、２進値”０１０１１１１１００１０１”になる。信号７６は、図１に示す実施例の信号１８に対応している。図３から明らかなように、光受信装置９０のＤフリップフロップ３４の出力３８は、２進値”０１１１００００１０１１１”になる。即ち、光受信装置９０に帰還型ビット遅延排他的オア回路を設けなくても、原信号７２を復元できる。
【００４５】
図５に示す実施例では、光受信装置９０に帰還型ビット遅延排他的オア回路が不要になるので、光伝送路２２にエラーがあっても、排他的オア回路７４の前段に誤り訂正符号化装置を配置し、Ｄフリップフロップ３４の出力に誤り訂正装置を配置すれば良い。
【００４６】
信号伝送の実施例を説明したが、本発明は、パルス幅の狭い光クロックパルス列を生成する目的にも利用可能である。換言すると、光送信装置１０は、電気クロックを、その立ち上がりと立ち下がりに光パルスを具備する光クロックパルスに変換する装置としても利用できる。
【００４７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４８】
【図１】本発明の第１実施例の概略構成ブロック図である。
【図２】光強度変調器１４の透過特性及び入出力特性を示す図である。
【図３】図１に示す実施例の波形例である。
【図４】光強度変調器１４の等価回路である。
【図５】本発明の第２実施例の概略構成ブロック図である。
【図６】第２実施例の波形例である。
【図７】従来例の概略構成ブロック図である。
【図８】光強度変調器１１２として使用するＬｉＮｂＯ３光変調器の透過率特性及び入出力特性を示す図である。
【符号の説明】
【００４９】
１０：光送信装置
１２：レーザダイオード
１４：光強度変調器
１６：電圧変換器
１８：電気ＮＲＺ信号
２０：光強度変調器１４の出力信号光（ＲＺ信号光）
２２：光伝送路
３０：光受信装置
３２：受光素子
３４：Ｄフリップフロップ
３６：クロック再生装置
３８：Ｄフリップフロップの出力信号
４０：排他的オア回路
４２：排他的オア回路４０の出力信号
４４：１ビット遅延器
５０：ＬｉＮｂＯ３光変調器の駆動電圧対透過率特性
５２：駆動電圧
５４（５４ａ，５４ｂ）：ＬｉＮｂＯ３光変調器の出力信号光
６０：入力信号
６２：１ビット遅延器
６４：排他的オア回路
６６：ＮＲＺ／ＲＺ変換器
６８：電気／光変換器
７０：光送信装置
７２：ＮＲＺ電気信号
７４：排他的オア回路
７６：排他的オア回路７４の出力信号
７８：１ビット遅延器
８０：ＲＦアンプ
８２：コンデンサ
８４：インダクタンス
８６：直流電源
９０：光受信装置
１１０：レーザダイオード
１１２：光強度変調器
１１４：ＮＲＺ／ＲＺ変換器
１１６：ＲＦアンプ
１２０：ＬｉＮｂＯ３光変調器の駆動電圧対透過率特性
１２２：駆動電圧
１２４：ＬｉＮｂＯ３光変調器の出力光
【図１】
2005181563.tif 000003
【図２】
2005181563.tif 000004
【図３】
2005181563.tif 000005
【図４】
2005181563.tif 000006
【図５】
2005181563.tif 000007
【図６】
2005181563.tif 000008
【図７】
2005181563.tif 000009
【図８】
2005181563.tif 000010